(57)【要約】      （修正有）【課題】基礎杭の施工性を確保しつつ基礎杭の支持力を確保し、かつ、基礎杭に設けられるアタッチメントの向きや高さを容易に調整し得る基礎杭用アタッチメントを提供する。【解決手段】構造物を施工地盤上に設置する際に用いられる基礎杭に装着されて、基礎杭と構造物との連結をなすアタッチメント１であって、基礎杭の上端に嵌合させられる筒部１ａと、筒部に一体に設けられた外方フランジ部１ｂとからなり、筒部１ａには、周壁を貫通し、基礎杭に圧着させられる固定ボルト３が設けられ、外方フランジ部１ｂには、構造物に設けられた連結具が挿通させられる係止孔が形成されている。【選択図】図１
0003209366.tif 000002
【実用新案登録請求の範囲】
【請求項１】
構造物を施工地盤上に設置する際に用いられる基礎杭に装着されて、この基礎杭と前記構造物との連結をなすアタッチメントであって、前記基礎杭の上端に嵌合させられる筒部と、この筒部に一体に設けられた外方フランジ部とからなり、前記筒部には、その周壁を貫通し、前記基礎杭に圧着させられる固定ボルトが設けられ、前記外方フランジ部には、前記構造物に設けられた連結具が挿通させられる係止孔が形成されていることを特徴とする基礎杭用アタッチメント。
【請求項２】
前記外方フランジ部が、前記筒部の一端部に設けられていることを特徴とする請求項１に記載の基礎杭用アタッチメント。
【請求項３】
前記固定ボルトが、複数設けられていることを特徴とする請求項１または請求項２に記載の基礎杭用アタッチメント。
【請求項４】
前記複数の固定ボルトが、前記筒部の軸線方向に間隔をおいた２箇所に設けられた一対の第１の固定ボルトと、これらの第１の固定ボルトから前記筒部の軸線回りに間隔をおき、かつ、前記筒部の軸線方向において、前記一対の第１の固定ボルト間の中間に位置させられた第２の固定ボルトとによって構成されていることを特徴とする請求項３に記載の基礎杭用アタッチメント。
【請求項５】
前記係止孔が、前記筒部の半径方向に沿って形成された長溝であることを特徴とする請求項１ないし請求項４の何れかに記載の基礎杭用アタッチメント。
【請求項６】
前記係止孔が、前記筒部の軸線回りに間隔をおいて複数形成されていることを特徴とする請求項１ないし請求項５の何れかに記載の基礎杭用アタッチメント。
【請求項７】
請求項１ないし請求項６の何れかに記載の基礎杭用アタッチメントを備えた基礎杭。
【考案の詳細な説明】
【技術分野】
【０００１】
本考案は、構造物を施工地盤上に設置する際に用いられる基礎杭に装着されて、この基礎杭と前記構造物との連結をなすアタッチメントに関するものである。
【背景技術】
【０００２】
構造物を施工地盤上に設置する場合、たとえば、太陽光発電施設において、太陽光発電パネルを設置する場合、前記施工地盤に基礎杭を打ち込み、この基礎杭上に前記太陽光発電パネルを設置することが行なわれている。
【０００３】
前述した基礎杭として、たとえば、特許文献１に示される構造のものが知られている。
【０００４】
この基礎杭は、外周に螺旋状突起を備えた杭本体を、施工地盤に打ち込んで設置するようにしたものである。
【０００５】
前述した螺旋状突起を備えた杭本体を打ち込む場合、この杭本体が打ち込まれた周囲の土壌が、前記螺旋状突起によって崩されることにより、前記杭本体の支持力が低下することが懸念される。
【０００６】
そこで、前述した技術では、前記杭本体を打ち込んだ後に、前記螺旋状突起と周囲の土壌との間にセメントミルク等を充填して、前記杭本体の支持力を高めるようにしている。
【０００７】
しかしながら、このような対処法によると、セメントミルク等の生成設備や充填装置を必要とすることから、施工コストの高騰を招く。
【０００８】
このような施工コストの高騰を抑えるために、前記杭本体を施工地盤に押しつけながら回転させて、前記杭本体をねじ込むようにして施工地盤に打ち込む工法も知られている。
【先行技術文献】
【特許文献】
【０００９】
【特許文献１】特開２０１６−６１１１６号公報
【考案の概要】
【考案が解決しようとする課題】
【００１０】
しかしながら、前記杭本体を施工地盤にねじ込むには大型の重機が必要となり、これに伴い新たな施工費用が生じる。
【００１１】
また、法面での施工にあっては、大型重機の乗り入れが困難な場合が多く、この結果、法面での施工が制限されてしまうおそれがある。
【００１２】
さらに、前記杭本体には、支持する構造物との連結をなすアタッチメントが取り付けられており、このアタッチメントには、前記構造物に設けられた連結具が挿通させられる係止孔が形成され、かつ、これらの係止孔は、前記杭本体の軸線に対して所定の位置関係で設けられている。
【００１３】
前記係止孔は、支持する前記構造物の連結具に合わせて、決められた向きに設定する必要があり、また、前記アタッチメントの高さも設定された高さに調整する必要がある。
【００１４】
前記杭本体をねじ込むようにして打ち込む際には、前記係止孔の向きや前記アタッチメントの高さの調整は、前記杭本体の軸線回りの回転によって行なわれる。
【００１５】
しかしながら、前記杭本体を軸線回りに回転させると、前記アタッチメントの高さと前記係止孔の向きが同時に変化する。
したがって、前記アタッチメントの高さと前記係止孔の向きを同時に所定の位置に調整することはきわめて困難である。
【００１６】
本考案は、前述した従来の技術において残されている問題点を解決せんとしてなされたもので、基礎杭の施工性を確保しつつ、この基礎杭の支持力を確保し、かつ、この基礎杭に設けられるアタッチメントの向きや高さを容易に調整し得る基礎杭用アタッチメントを提供することを解決すべき課題とする。
【課題を解決するための手段】
【００１７】
本考案に係わる基礎杭用アタッチメントは、前述した課題を解決するために、構造物を施工地盤上に設置する際に用いられる基礎杭に装着されて、この基礎杭と前記構造物との連結をなすアタッチメントであって、前記基礎杭の上端に嵌合させられる筒部と、この筒部に一体に設けられた外方フランジ部とからなり、前記筒部には、その周壁を貫通し、前記基礎杭に圧着させられる固定ボルトが設けられ、前記外方フランジ部には、前記構造物に設けられた連結具が挿通させられる係止孔が形成されていることを特徴としている。
【００１８】
本考案の基礎杭用アタッチメントは、施工地盤に打ち込まれた基礎杭の上端に、その筒部を嵌合させるとともに、この筒部に設けられている前記固定ボルトを締め付けることにより、前記基礎杭に装着される。
【００１９】
そして、前記アタッチメントは、支持される構造物に合わせて、その高さや、前記外方フランジに形成されている係止孔の向きが調整される。
【００２０】
このような高さや向きの調整は、前記アタッチメントの固定に先立って、前記筒部を前記基礎杭に対してその軸線方向に移動させ、また、前記筒部を前記基礎杭の軸線回りに回動させることによって行なわれる。
【００２１】
このように、前記アタッチメントの高さ調整と向きの調整は、相互に連動することなく独立して行なえるので、これらの調整がきわめて簡便なものとなる。
【００２２】
前記基礎杭は、単に軸線方向への打ち込みによって施工される。
したがって、打ち込まれる施工地盤による支持力を十分に確保することができる。
【００２３】
そして、前述したアタッチメントの調整に際しても、前記基礎杭が動くようなことはなく、この結果、前記施工地盤による前記基礎杭の支持力低下を招くことはない。
【００２４】
前記外方フランジ部は、前記筒部の一端部に設けられることにより、支持する前記構造物の、平滑な支持面を形成することができる。
【００２５】
前記固定ボルトは、複数設けられていることが好ましい。
これによって、前記基礎杭に対する前記アタッチメントの倒れを抑制することができる。
【００２６】
前記複数の固定ボルトを、前記筒部の軸線方向に間隔をおいた２箇所に設けられた一対の第１の固定ボルトと、これらの第１の固定ボルトから前記筒部の軸線回りに間隔をおき、かつ、前記筒部の軸線方向において、前記一対の第１の固定ボルト間の中間に位置させられた第２の固定ボルトとによって構成することが好ましい。
【００２７】
このような構成とすることにより、前記アタッチメントの前記筒部を、基礎杭の軸線方向における２箇所と、軸線回りに間隔をおいた１箇所の３箇所において支持して、前記アタッチメントの固定を強固にすることができる。
【００２８】
また、前記係止孔を、前記筒部の半径方向に沿う長溝とすることができる。
【００２９】
これによって、前記アタッチメントと前記構造物に設けられる連結具との取り合いを容易に調整することができる。
【００３０】
前記係止孔は、前記筒部の軸線回りに間隔をおいて複数形成しておくことにより、前述した取り合いの調整をより一層容易なものとすることができる。
【００３１】
そして、前述したアタッチメントを用いて基礎杭を構成することにより、基礎杭をハンドブレーカー等の比較的手軽な機器で施工することができるばかりでなく、法面等の施工現場にあっても、機器の搬入および操作を可能にして、この法面での施工をも可能にする。
【考案の効果】
【００３２】
基礎杭の施工性を確保しつつ、この基礎杭の支持力を確保し、かつ、この基礎杭に設けられるアタッチメントの向きや高さを容易に調整し得る基礎杭用アタッチメントを提供することができる。
【図面の簡単な説明】
【００３３】
【図１】本考案の一実施形態を示す一部を分解した正面図である。
【図２】本考案の一実施形態を示す一部を省略した平面図である。
【図３】本考案の一実施形態を示すもので、図２のＩＩＩ−ＩＩＩ線断面図である。
【図４】本考案の一実施形態を示すもので、施工手順を示す正面図である。
【図５】本考案の一実施形態を示すもので、施工手順を示す正面図である。
【考案を実施するための形態】
【００３４】
以下、本考案の一実施形態を図１ないし図５を参照して説明する。
図１において、符号１は、本実施形態に係わる基礎杭用アタッチメント（以下、アタッチメントと略称する）を示し、後述するように、施工地盤Ｂに打ち込まれる基礎杭２の上端部に装着されて用いられる。
【００３５】
詳述すれば、前記アタッチメント１は、前記基礎杭２の上端に嵌合させられる筒部１ａと、この筒部１ａの一端部に一体に設けられた外方フランジ部１ｂとからなり、前記筒部１ａには、その周壁を貫通し、前記基礎杭２に圧着させられる固定ボルト３が設けられ、前記外方フランジ部１ｂには、図２に示すように、支持する構造物に設けられた連結具が挿通させられる係止孔４が形成されている。
【００３６】
前記筒部１ａの側壁には、図３に示すように、その軸線方向に沿って間隔をおいた２箇所に貫通孔５・６が形成され、また、これらの貫通孔５・６に対し、前記筒部１ａの軸線回りに９０°ずれ、かつ、前記貫通孔５・６間の中間位置となる位置に、一つの貫通孔７が形成されている。
【００３７】
そして、前記筒部１ａの外側面には、前記貫通孔５・６・７のそれぞれと同軸上にナット８・９・１０が溶接等によって一体に設けられており、それぞれの前記ナット８・９・１０に前記固定ボルト３が螺着されるようになっている（図示例では、一つのナット８にのみ対応する固定ボルト３を示した）。
【００３８】
これらの固定ボルト３には、２個の固定ナット１１・１２が螺合されており、前記固定ボルト３が前記ナット８・９・１０に螺合させられた状態において、これらのナット８・９・１０と協働して、ダブルナットと称されるロック機構を構成するようになっている。
【００３９】
前記外方フランジ部１ｂに形成されている前記係止孔４は、図２に示すように長溝に形成されており、前記筒部１ａの軸線に対して放射状に複数形成されている。
本実施形態においては、前記各係止孔４の間隔を４５°としている。
【００４０】
このように構成された本実施形態に係わるアタッチメント１は、図４に示すように、施工地盤Ｂに打ち込みよって施工された前記基礎杭２の上端部に装着されて用いられる。
【００４１】
ここで、前記基礎杭２は、図４に示すように、外径が円柱状に形成され、下端部が円錐状に形成されており、施工地盤Ｂに、前記円錐状部から打ち込むことによって施工される。
【００４２】
前記基礎杭２は、前記施工地盤Ｂに打ち込まれた状態において、この施工地盤Ｂと密着させられ、かつ、この施工地盤Ｂの崩れもない。
したがって、前記施工地盤Ｂによる前記基礎杭２の支持力が十分に確保される。
【００４３】
そして、本実施形態のアタッチメント１は、図４に示すように、その筒部１ａを下方にして、この筒部１ａを、前述したように施工された前記基礎杭２の上端部に同軸上に位置させた後に、図５に示すように、この基礎杭２の上端部に嵌合させることによって、前記基礎杭２の上端に装着される。
【００４４】
ついで、図５に矢印（イ）で示すように、前記アタッチメント１を前記基礎杭２の軸線方向に移動させて、前記外方フランジ部１ｂの高さを調整するとともに、同図に矢印（ロ）で示すように、前記アタッチメント１を前記基礎杭２の軸線回りに回動させて、前記係止孔４の向きを調整する。
【００４５】
これより、前記筒部１ａの前記ナット７・８・９のそれぞれに、前記固定ボルト３を螺合して、その先端を前記貫通孔５・６・７を貫通させて、前記筒部１ａ内に突出させ、これによって、前記筒部１ａ内に位置させられている前記基礎杭２の外面に圧接させる。
【００４６】
この状態で、前記アタッチメント１を前記基礎杭２に仮止めすることができるが、この仮止めした時点で、前述したような、前記アタッチメント１の高さや軸線回りの位置調整を行なうようにしてもよい。
【００４７】
ついで、前記各固定ボルト３をさらに締め付けて、前記アタッチメント１を前記基礎杭２に本固定した後に、前記各固定ボルト３に螺合させられている一対の前記固定ナット１１・１２を、先端側から順次前記筒部１ａへ向けて締め付ける。
【００４８】
これによって、各固定ボルト３が、前記基礎杭２に圧接させられた状態で固定され、これによって、前記アタッチメント１も前記基礎杭１に、図５に示すように、高さおよび向きを調整された状態で固定される。
【００４９】
このように、前記アタッチメント１の高さや軸線回りの位置調整に際して、このアタッチメント１が装着されている前記基礎杭２に不要な外力が作用せず、また、不要な動きが生じない。
したがって、前記施工地盤Ｂの緩みや崩れがなく、前述した前記基礎杭２の支持力が維持される。
【００５０】
ここで、前述したように、前記基礎杭２が打ち込みによって施工されるので、重機を用いることなく施工することが可能となり、重機の搬入が困難な法面での施工が可能となる。
【００５１】
なお、前記実施形態において示した各構成部材の諸形状や寸法、あるいは、施工方法等は一例であって、設計要求等に基づき種々変更可能である。
【００５２】
たとえば、前記実施形態においては、前記基礎杭２を地盤に施工する例について説明したが、これに代えて、コンクリート構造物への施工も可能であることはもちろんである。
【００５３】
また、前記固定ボルト３の取り付け本数および取り付け部位は任意であり、前記基礎杭２の形状等によって適宜増減してもよい。
【００５４】
さらに、前記外方フランジ部１ｂの形状も、円盤状に限られるものではなく、矩形状であってもよく、前記係止孔４の形状も任意であり、また、その形成形態も、前記アタッチメント１の軸線に対して放射状に形成するだけでなく、前記軸線と交差する方向に沿って形成することもできる。
【符号の説明】
【００５５】
１  （基礎杭用）アタッチメント
１ａ  筒部
１ｂ  外方フランジ部
２  基礎杭
３  固定ボルト
４  係止孔
５  貫通孔
６  貫通孔
７  貫通孔
８  ナット
９  ナット
１０  ナット
１１  固定ナット
１２  固定ナット
Ｂ  施工地盤
【図１】
0003209366.tif 000003
【図２】
0003209366.tif 000004
【図３】
0003209366.tif 000005
【図４】
0003209366.tif 000006
【図５】
0003209366.tif 000007